(57)【要約】【課題】真の暗証番号入力装置の入力部が偽暗証番号入力装置の入力部で覆われた場合に、顧客がそれに気づかずに暗証番号を押下入力してしまうことを防止する。【解決手段】各入力キー１０１をそれぞれ発光させることのできるＥＰＰ１１０を備えた暗証番号入力装置１００であって、暗証番号を入力する前に、任意の入力キー１０１を発光させ、その発光した入力キー１０１を顧客に押させることで、顧客の入力操作と真の暗証番号入力装置１００との間の確認をとれるようにし、偽暗証番号入力装置のような不正装置が用いられている場合は暗証番号を入力規制して暗証番号の盗み取りを未然に防止することができる。【選択図】図４
2011100383.tif 000002
【特許請求の範囲】
【請求項１】
暗証番号の押下入力を許容する複数の入力キーと、
前記入力キーを個別に発光させる複数の発光手段と、
利用者に入力案内情報を出力する案内手段と、
前記発光手段の発光制御及び前記入力キーの入力を受付ける制御手段とを備え、
前記制御手段は、
一部の前記入力キーの発光手段を発光させて前記案内手段により発光している入力キーの押下入力を要求する発光キー押下要求処理と、
押下入力された入力キーが正しいか否かを判定する入力判定処理と、
前記押下入力が正しいと判定した場合に前記案内手段により暗証番号の入力を案内する暗証番号入力案内処理とを実行する構成である
暗証番号入力装置。
【請求項２】
前記制御手段は、
発光させる入力キーの数を発光キー押下要求処理ごとに変化させる
請求項１に記載の暗証番号入力装置。
【請求項３】
前記制御手段は、
前記発光キー押下要求処理の際に、発光させた入力キーが不明の場合に押下入力させる入力キーを指示する
請求項１または２に記載の暗証番号入力装置。
【発明の詳細な説明】
【技術分野】
【０００１】
この発明は、例えば自動取引装置の接客面に備えられるような暗証番号入力装置に関し、さらに詳しくは機密な暗証番号の盗み取りを防止する暗証番号入力装置に関する。
【背景技術】
【０００２】
一般に、自動取引コーナなどに設置されているＡＴＭ等の自動取引装置は、取引利用する際に、取引開始時に顧客のカードデータを読み取るとともに、暗証番号入力装置により暗証番号を入力させて顧客を認証している。ところが、暗証番号の入力時に、外部から暗証番号を盗み取ろうとする種々の犯罪が確認されている。
【０００３】
現状の暗証番号入力装置は、顧客にテンキーのキー番号を選択させて入力させることにより暗証番号が入力されている。さらに、テンキーと対応する内部には機密情報を持つＣＰＵやメモリなどが内蔵され、これらは外部からの不正なアクセスから厳重に守られている。
【０００４】
例えば、暗証番号入力装置を覆っている保護カバーが外部から不正に開けられたり、保護カバーが破壊されたりして不正にアクセスされようとした場合に、その不正なアクセス行為を検知し、自動的に機密情報を消去するセキュリティ機能（タンパ機能）を備えたものが知られている。このように暗証番号入力装置は厳重なセキュリティ機能を備えて守られているため、入力された暗証番号を不正に取得することは非常に困難である。
【０００５】
しかし、この機械的に厳重なセキュリティ機能を備えるだけでは未だ完全に暗証番号の盗み取りを防止することはできなかった。例えば、図７に示すように、基盤１３０に固定支持された真の暗証番号入力装置１００に近似させた外観形状と、真の暗証番号入力装置１００の入力キー１０１と同座標位置の入力キー７０１を有する偽暗証番号入力装置７００が真の暗証番号入力装置１００の上面を覆うように置かれてしまった場合、顧客は外観が同じであるため偽暗証番号入力装置７００に気づかずに暗証番号を押下入力してしまい、その偽暗証番号入力装置７００を通して顧客が入力した暗証番号が電気的に盗み取られてしまうという問題を有していた。
【０００６】
一方、暗証番号の盗み取りを防止する入力例として、暗証番号を含めた複数の入力キーを同時に入力させるフェイクポインタをキーボードに表示して外部から暗証番号を容易に盗み取りさせないように入力操作させる暗証番号入力装置が提案されている（例えば特許文献１参照）。
【先行技術文献】
【特許文献】
【０００７】
【特許文献１】特開２００８−３３９２４号公報
【発明の概要】
【発明が解決しようとする課題】
【０００８】
しかし、入力キーを同時に入力操作させるという工夫を施しても、外部からは盗み見が可能であり、また暗証番号の押下入力位置を前記偽暗証番号入力装置のように電気的に読み取る不正装置が用いられると、同時に入力されたデータに暗証番号を含んでいるため暗証番号が特定されやすくなり、暗証番号が盗み取りされてしまうおそれがある。
【０００９】
そこでこの発明は、暗証番号の盗み取り防止手段として、電気的な暗証番号の盗み取りを防止することができるセキュリティ機能の高い暗証番号入力装置を提供することを目的とする。
【課題を解決するための手段】
【００１０】
この発明では、暗証番号の押下入力を許容する複数の入力キーと、前記入力キーを個別に発光させる複数の発光手段と、利用者に入力案内情報を出力する案内手段と、前記発光手段の発光制御及び前記入力キーの入力を受付ける制御手段とを備え、前記制御手段は、一部の前記入力キーの発光手段を発光させて前記案内手段により発光している入力キーの押下入力を要求する発光キー押下要求処理と、押下入力された入力キーが正しいか否かを判定する入力判定処理と、前記押下入力が正しいと判定した場合に前記案内手段により暗証番号の入力を案内する暗証番号入力案内処理とを実行する暗証番号入力装置であることを特徴とする。
【発明の効果】
【００１１】
この発明によれば、偽暗証番号入力装置のような不正装置を用いた電気的な暗証番号の盗み取りを防止することができる。
【図面の簡単な説明】
【００１２】
【図１】ＡＴＭの外観斜視図。
【図２】ＡＴＭの制御回路ブロック図。
【図３】暗証番号入力装置の平面図。
【図４】暗証番号入力装置の要部縦断面図。
【図５】暗証番号入力装置の制御回路ブロック図。
【図６】暗証番号入力装置の使用時の処理動作を示すフローチャート。
【図７】従来の不正な偽暗証番号入力装置の使用状態を示す構成図。
【発明を実施するための形態】
【００１３】
この発明の暗証番号入力装置の一実施例を以下図面に基づいて説明する。
【実施例】
【００１４】
図１は暗証番号入力装置１００を備えた自動取引装置（以下ＡＴＭと称す）２００の外観図を示し、ＡＴＭ２００は縦長の箱形状を有する装置前面の上部に、タッチパネル部２１０を備えた表示部２２０と、明細票排出口２３０と、カード挿入口２４０と、紙幣入出金口２５０とを備えている。また、ＡＴＭ２００の内部には紙幣取引時の入出金処理を制御するＡＴＭ制御部２６０が内蔵されている。また、ＡＴＭ２００の内部にはＡＴＭ制御部２６０により制御され、図２で詳述される表示処理装置２７０と、カード処理装置２８０と、紙幣処理装置２９０と、明細票処理装置３００とが内蔵されている。
【００１５】
図２はＡＴＭ２００の制御回路ブロック図である。このＡＴＭ２００を制御するＡＴＭ制御部２６０には、暗証番号入力装置１００とタッチパネル部２１０と、表示処理装置２７０とカード処理装置２８０と紙幣処理装置２９０と明細票処理装置３００とが接続されており、ＡＴＭ制御部２６０の指令に基づいて前記各装置を駆動制御し、入出金取引に必要な処理を実行させる。
【００１６】
暗証番号入力装置１００は、顧客を認証する認証情報取得手段として使用され、取引開始時に、キャッシュカードの挿入とともに適正な暗証番号が入力されたか否かを確認する。この暗証番号入力装置１００の入力部（Ｅｎｃｒｙｐｔｉｎｇ Ｐｉｎ Ｐａｄ、以下ＥＰＰと称す）１１０には例えばテンキーを配置して構成することができる。
【００１７】
タッチパネル部２１０は、表示部２２０の平面的な画面上をタッチセンサとするパネル面が備えられており、この表示部２２０のパネル面に顧客がタッチして入力指示させる入力構造を有している。表示部２２０には顧客が取引する取引情報を表示案内し、また入力指示させる入力案内情報が表示案内される。
【００１８】
表示処理装置２７０は、装置前面の表示部２２０に取引情報や入力案内情報を表示する表示処理機能を有している。このほか、ＡＴＭ２００に備えられる図示しない係員パネルなどにも係員操作情報を表示する。
【００１９】
カード処理装置２８０は、カードをカード挿入口２４０より受け付け、その受け付けたカードのデータを読み取る。また、取引完了した旨のデータをカードに記録してカード挿入口２４０より放出するカード処理機能を有している。
【００２０】
紙幣処理装置２９０は、入金時に紙幣入出金口２５０に投入された紙幣を装置内部の収納部に収納し、出金時には収納部から指定された金種の紙幣を繰出して紙幣入出金口２５０に出金する入出金処理機能を有している。
【００２１】
明細票処理装置３００は、顧客の明細票発行請求に応じて取引内容を記載した明細票を取引終了時に明細票排出口２３０より発行する。
【００２２】
図３は暗証番号入力装置１００の暗証番号受付部として備えられるＥＰＰ１１０を示し、このＥＰＰ１１０は平面的な上面に整列して、テンキーと、ＣＡＮＣＥＬキーと、ＣＬＥＡＲキーと、ＥＮＴＥＲキー等との複数の入力キー１０１が押下入力可能に配置されている。
【００２３】
前記入力キー１０１は指先で押下するのに適した大きさの四角形状を有し、各入力キー１０１はその外周囲が格子状のガイドフレーム１２０で１個ずつ区画して支持されている。ガイドフレーム１２０は周囲が基盤１３０に固定され、この基盤１３０が前記ＡＴＭ２００の装置前面の中央上部に固定されることにより、暗証番号入力装置１００はＡＴＭ２００に一体化されて設置されている。
【００２４】
前記入力キー１０１は、少なくとも一部が光を透過させるアクリルなどの透明な樹脂材料で形成され、その上面には入力キー１０１を識別するための数字、文字、記号等が表記されている。さらに、入力キー１０１は全部を透明材で構成してもよく、一部を透明材にし、他を金属材で構成してもよい。金属材を併用した場合は高強度が図れるので好ましい。これらの入力キー１０１は同構造を有して配置されることから、その内部構造の１つを例にとって次に説明する。
【００２５】
図４は入力キー１０１の内部構造を示したものである。この入力キー１０１は四角柱状の上部周囲を一回り小さくして設けた段付き四角柱で側面視凸形状を有している。この凸形上部は摺動部１０２として設けられ、格子状に開口されている前記ガイドフレーム１２０の開口部１２１に挿通して摺動支持される。また、凸形下部は段付き係止部１０３として上面がガイドフレーム１２０の下面に抜止め係止される。ここに用いられるガイドフレーム１２０は不透明な材質を使用する。例えば、強度の高い金属材が好ましい。そして、この入力キー１０１の下方に電気絶縁性に富むラバープレート１４０が中間層として配設され、さらにその下方に回路基板１５０が配設されている。
【００２６】
前記ラバープレート１４０は、上面中央に凹型に突出する凹型突出部１４１を有している。この凹型突出部１４１の周縁部が前記入力キー１０１の下面に対向して入力キー１０１を下方より支えている。さらに、凹型突出部１４１の中央が凹んだ中央凹部１４２にＬＥＤ１６０を搭載したＬＥＤ基板１６１を配置して、該ＬＥＤ１６０が入力キー１０１の下面中央に向けて発光可能な配置構成を有している。
【００２７】
前記凹型突出部１４１は、中央凹部１４２に配置されるＬＥＤ１６０が上方に対向する入力キー１０１に接触しない対向空間が得られる凹型深さに形成している。また、入力キー１０１との間の対向空間を確保するためにＬＥＤ基板１６１ごと凹型の中央凹部１４２の底面よりさらに一段低く沈み込ませるように配置して構成してもよい。さらに、ＬＥＤ基板１６１の上面を絶縁シートで覆って上面を絶縁保護するように被覆して構成してもよい。
【００２８】
さらに、ラバープレート１４０の下面中央には、接点操作用の押子１４３を垂設しており、この押子１４３が、その下方に対向する回路基板１５０の上面に形成されている接点部間を開閉する構成を有している。
【００２９】
前記回路基板１５０は、上方の押子１４３と対向する上面にキー接点１５１と、両端部が板バネ接点１５２に接続された板バネ１５３とが対向している。この板バネ１５３は中央部が上向きに突出したドーム形状に付勢されて、前記押子１４３の下面に当接している。この板バネ１５３の付勢力により、通常、ラバープレート１４０は上動している。また、板バネ１５３はその下方に対向するキー接点１５１とは非接触の状態にある。そして、入力キー１０１の押下操作に連動してラバープレート１４０が上下動することにより、板バネ１５３は上下方向に湾曲して弾性変位し、該板バネ１５３がキー接点１５１に接離する接点構造を有している。
【００３０】
さらに、回路基板１５０の上面には、前記ＬＥＤ基板１６１との間を配線１５５により接続したコネクタ１５４が配置されている。そして、暗証番号入力装置１００からの発光信号によりＬＥＤ１６０が発光する構造を有している。このような発光構造を全ての入力キー１０１に備えている。
【００３１】
前記入力キー１０１は、通常、板バネ１５３の上向きの付勢力を受けたラバープレート１４０を介して上動し、上動した入力キー１０１は上面がガイドフレーム１２０の上面と略面一に位置して押下入力可能な待機状態にある。そして、入力キー１０１が押下されることで、ラバープレート１４０が下動し、この下動したラバープレート１４０の押子１４３により板バネ１５３が下向きに湾曲変形し、その下方のキー接点１５１に接する。この結果、板バネ１５３を介してキー接点１５１と板バネ接点１５２とが導通し、入力キー１０１が押されたことを検知する。また、その入力キー１０１に対する押下力が開放されることで、入力キー１０１は元の上動位置に復帰する。
【００３２】
図５はＥＰＰ１１０の制御回路ブロック図を示し、ＥＰＰ制御部５００にはＬＥＤ１６０と発光要求受付部５１０と入力検知部５２０と暗号化部５３０と信号出力部５４０とが接続され、該ＥＰＰ制御部５００に格納されたプログラムにしたがって、これらの機器及び処理部を制御する。
【００３３】
前記発光要求受付部５１０は、ＡＴＭ制御部２６０から要求された特定の入力キー１０１を発光させる発光要求信号を受け付ける。これにより、ＥＰＰ制御部５００は特定の入力キー１０１に発光信号を出力して、発光指定された入力キー１０１のＬＥＤ１６０を発光させる。
【００３４】
入力検知部５２０は、顧客が入力キー１０１を押下入力したとき、その押下入力された座標位置から顧客が押下入力したＥＰＰ１１０の入力キー１０１を検知する。  
暗号化部５３０は、押下入力された入力キー１０１の検知情報からキー情報を暗号化処理する。  
信号出力部５４０は、前記暗号化部５３０で暗号化したキー情報をＡＴＭ制御部２６０に出力する。
【００３５】
ＥＰＰ制御部５００は、発光させた入力キー１０１を顧客が押下入力するように表示部２２０に表示案内して暗証番号とは別に、顧客に発光指示させた任意の入力キー１０１を押下入力させる発光キー押下要求処理機能を有している。
【００３６】
さらに、入力キー１０１の押下入力を受け付けて、顧客が押下入力した入力キー１０１の押下位置により正しい押下入力か否かを判定する入力判定処理機能を有している。この押下入力判定時に、不適な押下位置と判定した場合は、不正装置が使用されているか誤操作であるため、その後の暗証番号の入力を規制して暗証番号の盗み取りを防止することができる。
【００３７】
また、押下入力が正しいと判定した場合は、暗証番号の盗み取りのおそれがないため、表示部２２０に暗証番号を入力案内する暗証番号入力案内処理機能を有している。
【００３８】
これらの処理機能を具体的に説明すると、ＡＴＭ２００で顧客が取引利用する時、ＡＴＭ制御部２６０は暗証番号を入力させる暗証番号入力モードに先立ち、ＥＰＰ１１０に不正装置が取り付けられているか否かのＥＰＰ適否判定モードを実行させる判定機能を有している。このＥＰＰ適否判定モードは暗証番号入力装置１００のＥＰＰ１１０に対して指定された入力キー１０１への発光要求信号を出力する。これにより、ＥＰＰ制御部５００はＡＴＭ制御部２６０から出力された発光要求信号を受け付け、ＡＴＭ制御部２６０が指定した入力キー１０１を発光させる。この発光された入力キー１０１を押下入力する旨を表示部２２０に表示案内し、顧客が発光された入力キー１０１を押下入力したことを確認することで暗証番号入力装置１００のＥＰＰ１１０が適正な入力待機状態であることを検知確認する。したがって、暗証番号の入力時には事前にＥＰＰ１１０の適否状態、つまり偽暗証番号入力装置７００（図７参照）のような不正装置が無いことを確認してから暗証番号を入力させることができる。
【００３９】
ところで、ＥＰＰ１１０の上面が不正装置で覆われているような場合は、入力キー１０１を発光させても、その発光は不正装置により遮光されて見えないためＡＴＭ制御部２６０が指定した入力キー１０１を入力することができない。例えば、所定時間入力がないか、異なる入力キー１０１が入力された場合は、暗証番号の入力前にＥＰＰ１１０が不正状態であることを検知できる。また、この際は不適な入力状態であるため顧客にＣＡＮＣＥＬキーなどを押させて暗証番号の入力操作を中断させるように表示案内し、ＣＡＮＣＥＬキーが押されたら不正状態と判定できる。
【００４０】
このように暗証番号の入力時にＥＰＰ１１０の任意の入力キー１０１を適宜発光させて入力指示させる新たな入力モードによりＥＰＰ１１０が正常状態か否かを容易に判定できる。このため、不正装置が利用されている場合には暗証番号の入力を未然に規制することができる。
【００４１】
例えば、図７に示すように、真の暗証番号入力装置１００の上面に偽の暗証番号入力装置７００が被せられている場合は、発光キーが見えないため適正な入力ができなくなり、偽暗証番号入力装置７００が載っていることを容易に識別することができる。
【００４２】
また、各入力キー１０１への発光指示に際しては、任意の入力キー１０１を発光させて押下入力するように発光指示することができるので、暗証番号と組み合わせて入力させれば、多くの桁数が入力されて外部からは暗証番号を特定できなくなり、暗証番号の不正な盗み取りを規制することができる。このため、電気的な暗証番号の盗み取りを的確に防止することができる。
【００４３】
また、機械的な暗証番号の盗み取り防止手段として、暗証番号入力装置１００のガイドフレーム１２０や基盤１３０が外部から不正に開けられたり、破壊されたりして不正にアクセスされようとした場合、該暗証番号入力装置１００に対する不正なアクセス行為を検知し、自動的に機密情報を消去する図示しないセキュリティ機能を持たせた厳重な管理構成を有している。
【００４４】
このように構成された暗証番号入力装置１００の暗証番号盗み撮り防止動作を図６のフローチャートを参照して説明する。  
ＡＴＭ２００の利用開始時に、顧客がＡＴＭ２００のカード挿入口２４０にカードを挿入すると（ステップ６０１）、ＡＴＭ制御部２６０の発光指示を受けてＥＰＰ制御部５００はＥＰＰ１１０に備えられている任意の入力キー１０１を発光させる（ステップ６０２）。そして、ＡＴＭ制御部２６０はＡＴＭ２００の表示部２２０に「発光しているキーを押してください」と表示する（ステップ６０３）。
【００４５】
この時、「発光しているキーが無い場合には”ＣＡＮＣＥＬキー”を押してください」の表示も合わせて表示する（ＣＡＮＣＥＬキーは発光しないようにしておく）。
【００４６】
顧客が何れかの入力キー１０１を押下入力すると（ステップ６０４）、ＡＴＭ制御部２６０は押下入力された入力キー１０１が発光させた入力キー１０１か否かを判定し（ステップ６０５）、発光させた入力キー１０１が押下入力された場合には、顧客とＥＰＰ１１０との間で発光確認をとることができる。このため、ＥＰＰ１１０が適正な入力状態のもとで押下入力されたことが分かり、暗証番号入力モードに移行する（ステップ６０６）。
【００４７】
この暗証番号入力モードに移行すると、ＡＴＭ制御部２６０は顧客に暗証番号を入力するよう表示部２２０の画面に表示案内し（ステップ６０７）、この表示案内にしたがって顧客は暗証番号を入力する（ステップ６０８）。このとき、暗証番号だけでなく、別の番号を混在させて入力させる桁数追加入力モードに移行して桁数を増し、暗証番号を特定できないようにしてもよい。この場合、暗証番号の盗み取りをさらに防止することができる（ステップ６０９）。暗証番号の入力後はＡＴＭ２００で取引利用される通常の運用を実施する。
【００４８】
前記ステップ６０５において、ＥＰＰ１１０の上面に、偽暗証番号入力装置７００(図７参照)のような不正装置が載せられている場合は、発光した光が遮られて、どの入力キー１０１が発光しているか分からない。このような非発光状態の場合には、表示部２２０に表示している案内にしたがって顧客はＣＡＮＣＥＬキーを押す。ＣＡＮＣＥＬキーが押された場合、または押された入力キー１０１が発光させた入力キー１０１と違う場合には、ＡＴＭ制御部２６０は係員を呼ぶよう表示部２２０に表示案内する（ステップ６１０）。これにより、偽暗証番号入力装置７００を検出できる。その後、カードを顧客に返却して（ステップ６１１）取引を終了する。
【００４９】
さらに、セキュリティ性を高めるため、発光させる入力キー１０１を複数同時に発光、または順番に複数発光させて、これらを全て押下入力させてから暗証番号の入力モードに移行してもよい。また、暗証番号入力後に再度任意の入力キー１０１を発光させて押下させるようにしてもよい。この場合は、入力のどの部分が暗証番号か不明となるため、一層暗証番号の盗み取りを困難にすることができる。特に、発光させる入力キー１０１の数を異ならせれば、より暗証番号を不明にできる。
【００５０】
前記ＡＴＭ制御部２６０はＥＰＰ制御部５００に対して暗証番号の盗み取り防止対策として、発光させた入力キー１０１が押下されたことを確認するＥＰＰ適否判定モードで適否を判定してから、暗証番号を入力させる暗証番号入力モードに移行するように設定している。
【００５１】
このようにすれば、暗証番号の入力前に偽暗証番号入力装置７００(図７参照)のような不正装置が取り付けられているか否かを確認することができる。また、暗証番号の入力時に、任意番号の入力キー１０１を混在させて入力させるようにすることができる。
【００５２】
この場合は、暗証番号に任意番号が混在する。このため、暗証番号としてのデータが入力された場合は暗証番号と任意番号とが含まれて多くの桁数となり、外部からは暗証番号を特定することが困難になる。
【００５３】
さらに、入力キー１０１を発光により指示して入力させる任意番号入力モード時に、非発光指示に基づいてある特定の入力キー１０１を入力させるように設定することができる。
【００５４】
例えば、暗証番号として採用されないようなＣＡＮＣＥＬキー、ＣＬＥＡＲキー、ＥＮＴＥＲキーなどの非暗証番号キーを入力させれば、入力規制及び判別困難にして暗証番号を盗ませないように対処することができる。
【００５５】
さらに、ＥＰＰ制御部５００は入力キー１０１の発光形態を変える発光可変手段として発光制御機能を持たせることもできる。例えば、入力キー１０１の合計の発光キーの数を発光キー押下要求処理ごとにランダムに変えれば、暗証番号入力時の桁数が特定されなくなり、暗証番号の不正な取得を無効するのに有効となる。
【００５６】
また、入力キー１０１を点滅表示、あるいは発光輝度や発光色を変えさせて表示させれば、発光指示された入力キー１０１を、より強調して表示できるため他の非発光の入力キー１０１と明瞭に異ならせることができる。このほか、発光キーと他の全ての入力キー１０１は、異なる色で発光させておき、表示部２２０にて押下する入力キー１０１の発光色を特定して区別してもよい。さらに、複数の入力キー１０１を同時発光させた場合は、複数の入力キー１０１を同時に入力させる入力形態を得ることができる。
【００５７】
上述のように、発光させた入力キーを顧客に押下入力させることにより、暗証番号入力装置が適正な入力状態か否かを的確に確認できる。したがって、指定された発光入力キーの押下入力が確認できなければ不適な入力状態であることが判明するため、暗証番号の入力を直ちに無効にできる。このため、電気的な暗証番号の盗み取りに対して的確に防止することができる。
【００５８】
この発明は、上述の一実施例に記載された構成に限定されるものではなく、請求項に記載された技術思想に基づいて応用することができる。例えば、上述の実施例では紙幣の入出金取引を許容するＡＴＭ２００に暗証番号入力装置１００を適用した場合を示したが、その他の自動取引装置にも適用することができる。また、入金専用や出金専用の自動取引装置にも適用することができる。
【産業上の利用可能性】
【００５９】
暗証番号入力装置が取り付けられる機器の全般に適用することができる。
【符号の説明】
【００６０】
１００…暗証番号入力装置
１０１…入力キー
１１０…ＥＰＰ
１６０…ＬＥＤ
２２０…表示部
２６０…ＡＴＭ制御部
５００…ＥＰＰ制御部
【図１】
2011100383.tif 000003
【図２】
2011100383.tif 000004
【図３】
2011100383.tif 000005
【図４】
2011100383.tif 000006
【図５】
2011100383.tif 000007
【図６】
2011100383.tif 000008
【図７】
2011100383.tif 000009